【手続補正書】
【提出日】平成16年11月11日(2004.11.11)
【手続補正１】
【補正対象書類名】明細書
【補正対象項目名】全文
【補正方法】変更
【補正の内容】
【書類名】明細書
【発明の名称】複写用シート
【特許請求の範囲】
【請求項１】発色剤塗布シートと顕色剤塗布シートの組み合わせによるノーカーボン方式の複写用シートにおいて、発色剤塗布シートの発色剤塗布面側と顕色剤塗布シートの顕色剤塗布面側の少なくとも一方に、感圧接着剤層を設け、発色剤塗布面と顕色剤塗布面が型押し加圧により少なくとも型押し部を除き剥離不能に加圧接着させたことを特徴とする複写用シート。
【発明の詳細な説明】
【０００１】
【発明が属する技術分野】
発色剤塗布シートと顕色剤塗布シートを組み合わせた、ノーカーボン方式による複写用シートに関する。
【０００２】
【従来の技術】
従来より、発色剤塗布シートと顕色剤塗布シートの組み合わせからなるノーカーボン方式の複写用シートは、感圧接着剤を用紙端部に設け、圧力にて接着組み合わせ、配送伝票、葉書用途、郵送物に貼付けする宛名ラベル等に広く用いられている。
【０００３】
【発明が解決しようとする課題】
しかし、圧力によって接着させる方法は、圧力を加えた際、発色剤を構成する無色染料を内包したマイクロカプセルが破壊され、発色汚れの問題が生じ、実用に適さないものであった。
【０００４】
したがって、本発明は、このような不都合を解消した複写用シートを提供することを目的とする。
【０００５】
【課題を解決するための手段】
上記課題を解決した本発明は、発色剤塗布シートと顕色剤塗布シートの組み合わせからなるノーカーボン方式の複写用シートにおいて、発色剤塗布シートの発色剤塗布面側と顕色剤塗布シートの顕色剤塗布面側の少なくとも一方に、感圧接着剤層を設け、発色剤塗布面と顕色剤塗布面が型押し加圧により少なくとも型押し部を除き剥離不能に加圧接着させたことを特徴とする複写用シートである。
【０００６】
ノーカーボン方式による複写用シートの製作は、発色剤塗布シートとなる上シート基材の少なくとも片面に無色の色素を封入したマイクロカプセルを含有する発色剤を感圧接着剤層中に分散させたり、又別の層として形成し、顕色剤塗布シートとなる下シート基材の少なくとも片面に、加圧印字により前記マイクロカプセルが破れてその封入色素を吸着して顕色する顕色剤を顕色剤塗布シートの感圧接着剤層中に分散させたり、又別の層として形成することからなる。
【０００７】
型押し加圧を行うことで、型押し部の感圧接着剤の接着性の抑制、圧力による発色を抑制する。型押し加圧は、圧が加わらない凹部を設けたロールやロール間、加圧板、ロールと加圧板の組み合わせ等、物理的方法により実施できる。加圧が加わらない範囲は、凹部の範囲により任意に設定することができる。
【０００８】
型押し加圧を行う際、凹部にクッション性の、例えばゴム系、発泡ウレタン系等の可塑性を有する材質を組み合わせたり、型押し部を切り抜いたベルト状の加圧シートと組み合わせることで、ＪＩＳ−Ｚ−０２３７の粘着力測定方法に基づく測定値で５０グラム以下の容易に剥離可能な粘着力を得ることができるとともに、発色汚れも生じない。
【０００９】
発色剤塗布シートの型押し部の少なくとも３方を切り取りミシン目又線で囲むことで、型押し部を容易に剥離することができる。
【００１０】
本発明に用いられる感圧接着剤としては、広い範囲から選択することができる。例えば、ポリウレタン系、合成ゴム系、天然ゴム系、塩化ビニル系、アクリル系、スチレン−ブタジエン系、エチレン−酢酸ビニル系、塩化ビニリデン系などの他、ディレードタック系のものも使用することが可能である。中でも天然ゴム系、ディレードタック系が好適に使用出来る。
【００１１】
感圧接着剤には、その他必要に応じて消泡剤、防腐剤、分散剤、劣化防止剤、増粘剤、酸化防止剤、柔軟剤、紫外線吸収剤などの補助剤を使用することができる。
【００１２】
発色剤のマイクロカプセル中には、フェニルキシリールエタン、ジイソプロピルナフタレン、モノイソプロピルフェニル等のカプセルオイルにロイコ系、ラクトン系、フルオラン系等の発色性無色染料が溶解され、内包されている。
【００１３】
顕色剤としては、例えばサリチル酸亜鉛やフェノール樹脂などを用いることができ、これらは感圧接着剤との相溶性に優れ、均一な層を形成するとともに、感圧接着剤層内での分散性に優れ、良好な印字を発現させることができる。
【００１４】
本発明に使用される発色剤塗布シートと顕色剤塗布シートの基材４，１１は、特に限定されないが、例えば生分解性を有するパルプ繊維を主体とする上質紙や各種合成紙、各種コート紙、ラミネート紙、金属蒸着紙、不織布、各種プラスチックフィルムが使用できる。
【００１５】
感圧接着剤、顕色剤、他補助剤を主体とする顕色剤塗布シートの総塗布量は、０．５〜５０ｇ／ｍ2が適当であるが、基剤を再利用し環境保護を進めるために、１．０〜２０ｇ／ｍ2が、再利用する際の塗布層の剥離除去性、原料パルプ等の回収効率、洗浄効率、分散性から更に好ましい。
【００１６】
発色剤塗布シート裏面のマイクロカプセル、感圧接着剤等の塗布量は、顕色剤塗布シートとの組み合わせによる情報記録の発現性にあわせて適宜決める事ができる。
【００１７】
塗布又印刷方法は、エアーナイフコーター、ブレードコーター、バーコーター、フレキソ印刷、スクリーン印刷、グラビア印刷 等の従来公知の塗布、印刷方法を採用することができる。
【００１８】
【発明の実施の形態】
この複写用シートは、顕色剤塗布シートの顕色剤層に対向するよう、発色剤層を設けた発色剤塗布シートを重ね合わせ、適所に型押し加圧を行い顕色剤塗布シートと発色剤塗布シートを加圧接着させ、所望の情報を発色剤塗布シート型押し加圧部位に加圧記入することにより、この情報が顕色剤塗布シートに複写記入される。型押し加圧部位では、発色剤塗布シートは、顕色剤塗布シートに加圧接着されていないため容易に剥離可能になり控えとして保管可能になる。
【００１９】
型押部位以外は、所定の圧力を加えることで剥離不能な感圧接着剤により強固に発色剤塗布シートと顕色剤塗布シートが接着し、郵送手段等の途中で紛失することがない。型押し部位は発色剤塗布シートと顕色剤塗布シートとの接着圧力による発色汚れが生じることがなく、必要時に容易に剥離することができる。
【００２０】
（実施例）
以下本発明を往復葉書用紙１に適用した場合の好適な一実施例について、添付図面に基づき詳細に説明する。ここにおいて、図１は往復葉書用紙１の発色剤塗布シート１３の斜視図、図２は往復葉書用紙１の顕色剤塗布シート１４の斜視図、図３は、図１の発色剤塗布シート１３と、図２の顕色剤塗布シート１４を型押し加圧により貼り合わせた状態の斜視図、図４は往復葉書用紙１の型押し部１５に情報を記録し、型押し部１５を切り用ミシン目から剥離した状態を示す斜視図、図５は図４のＢ−Ｂ線断面図である。
【００２１】
図３に示すように、往復葉書用紙１は、折り用ミシン目６を介して往信紙片２、返信紙片３が連接されてなり、その返信紙片３の中央部には切り用ミシン目１２が、型押し部１５の近傍に設けられている。
【００２２】
図１で理解できるように、発色剤塗布シート１３の裏面には、発色剤を分散させた感圧接着剤層５が設けられ、図２で示すように顕色剤塗布シート１４の表面には顕色剤層９と感圧接着剤層８が塗布されている。
【００２３】
続いて、図３に示す上述した往復葉書用紙１を作成する手段について説明する。まず、発色剤塗布シート１３と同一大で、発色剤塗布シート１３の裏面の発色剤を分散させた感圧接着剤層５と対応位置するよう顕色剤層９、感圧接着剤層８を設けた顕色剤塗布シート１４を用意する。発色剤塗布シート１３を顕色剤塗布シート１４上に、発色剤を分散させた感圧接着剤層５が、顕色剤層９を配設した部位と対向するように重ね合わせ、型押し加圧により型押し部１５を除き剥離困難に接着する。これにより、型押し部１５が剥離可能になり、発色剤塗布シート１３の型押し部１５を切り用ミシン目１２で切り取り、控えを得ることができる往復葉書用紙１となる。
【００２４】
次に、郵送手段を用い、受信者に送付する。受信者は、発色剤塗布シート１３の型押し部１５に返送する複写記入情報を印字又プリントし、顕色剤塗布シート１４に複写記録する。
【００２５】
受信者は、型押し部１５を、切り用ミシン目１２で切り離し、控えとして発色剤塗布シート１３から分離保管し、返信紙片３を往信紙片２から折り用ミシン目６で切り離し、返信することで返信情報を発送者に送り返すことができる。
【００２６】
【発明の効果】
以上のとおり、本発明によれば、染料カプセルによる汚れの発生もなく、郵送手段の途中で剥離する問題の無い複写用シートを得ることができる。
【図面の簡単な説明】
【図１】
往復葉書用紙の発色剤塗布シート１３の斜視図。
【図２】
往復葉書用紙の顕色剤塗布シート１４の斜視図。
【図３】
図１の発色剤塗布シート１３と図２の顕色剤塗布シート１４とを貼り合わせた状態の斜視図。
【図４】
往復葉書用紙１の型押し部１５に情報を複写記録し、型押し部１５を剥離した状態を示す図。
【図５】
図４のＢ−Ｂ線断面図。
【符号の説明】
１…往復葉書用紙、２…往信紙片、３…返信紙片、４…上シート（発色剤塗布シート）基材、５…感圧接着剤層（発色剤含有）、６…折り用ミシン目、８…感圧接着剤層、９…顕色剤層、１１…下シート（顕色剤塗布シート）基材、１２…切り用ミシン目、１３…発色剤塗布シート、１４…顕色剤塗布シート、１５…型押し部。
【手続補正２】
【補正対象書類名】図面
【補正対象項目名】図２
【補正方法】変更
【補正の内容】
【図２】
1999208159.tif 000001